(57)【要約】【課題】滑りを利用した免震装置用の底板を所定位置に水平に取付ける際、専用の底板を使って作業の標準化をすることで、作業者の熟練を要することなく、正確で安全に作業効率を大幅に向上させる。【解決手段】滑りを利用した免震装置の底板を複数枚、所定の位置に水平に取付ける方法に於いて、底板上部に描いた三角形の一辺と、その一辺から直角に引かれた中線を定規とすることと、三角形の頂点に設けた水平調整ネジを、作業姿勢を変更せずに上面から回して高さ調整することで、水糸で示された所定の位置に正確且つ水平に取付けできる方法【選択図】    図１
2005264597.tif 000002
【特許請求の範囲】
【請求項１】
滑りを利用した免震装置の底板1を複数枚、基礎に取付けする方法に於いて、事前に算出した設置位置に水平に張られた水糸へ合わせる直角定規として、底板上部に自重で転倒し無い3点が頂点2で、その一辺Ｄから直角に引かれた中線Ｂ上に三角形の外接円の中心点（外心）がある三角形Ａを描き、その各頂点2に底板1を貫通するネジ穴を設け、底板1の上部から回せる水平調整ネジＣを組込み、水糸を見渡せる作業姿勢で、一枚毎に一辺Ｄと中線Ｂをそれぞれの水糸に合わせる作業と水平調整ネジＣを回し水平にする作業、並びに他の複数の底板1と水糸の確認ができることを特徴とする免震装置の底板1の取付け方法。
【発明の詳細な説明】
【技術分野】
【０００１】
本発明は、免震装置が斜めに取付けられると機能しなくなるため、免震装置の底板１を所定の位置で水糸に合わせる調整取付けが、作業者の作業姿勢を変えずに一枚毎確実にでき、且つ他の複数の底板1と水糸の確認が容易にできる様にした免震装置の底板1の取付け方法に関する。
【背景技術】
【０００２】
建物を支えるため基礎上に、複数基の設置を要する、滑りを利用した免震装置の構造は、図4、図5の如く底板15と球体6または板状7の滑り部を組込んだ上部の2層構造、又は、図6の如く下部と中間の滑り部8と上部との3層構造のものがあるが、
【０００３】
共に、免震装置が斜めに設置されると、建物が横滑りを起こし建物支持並びに免震の機能が阻害される為、建物の基礎部に免震装置の底板1を所定の高さに水平に取付けすることが必要で、且つ、建物の柱にかかる荷重を約８平米ごとに集め免震装置に伝えるため、所定の位置に正確に設置することを必要とする。
【０００４】
基礎を水平に作る方法としては、コンクリート打設後、基礎コンクリート上面全体へセルフレベリングモルタルを再度打設し、基礎上面を同一の高さで水平に施工することは出来るが、約８平米ごとに一基当り約0.4平米の免震で使用するには経済的ではない。
【０００５】
基礎工事は通常、基礎鉄筋を配筋し、アンカーボルトを取付け、コンクリート打設後に底板15を配り、例えば３人いる作業員の一人が水糸と基礎全体を見渡し免震装置の確認作業を行ない、他の一人が一基ごとに水平器を真上から見て水平を確認しながら指示を出し、もう一人が側面から水平調整を行なう。
免震装置全基が所定の位置と所定の水平となった後、一基ごとに無収縮モルタルを底板と基礎の隙間に注入し、アンカーボルト等で固定作業を行なう。
例えば図8の全自動洗濯機を水平に設置する如く、作業者はまず真上から上部の水平器13を確認し、次に姿勢を側面へ移動させ、四隅にある水平調整ネジ12を1個ずつ調整するという作業を繰り返して水平に設置するが、    
【０００６】
同様の作業を約８平米ごとにある免震装置の設置場所で行ない、複数基を所定の高さに水平に、且つ所定の位置に正確に設置するためには、長時間の作業と熟練を要することになる。
【特許文献１】特開平05-018098    （0006）、（0008）
【特許文献２】実開昭61-144150（建物床用緩衝材）
【特許文献３】特開 2001-50342（免震用スベリ支承装置の設置方法）
【特許文献４】特開昭 63-255463（床の免震装置）
【特許文献５】特開平 06-73869（二重床と床板製造方法）請求項２、３、１１
【非特許文献１】オイレス工業（株）「ＦＰＳ-Ｈ免震住宅工法マニュアル」2002年7月版25頁
【非特許文献２】（株）日立製作所全自動洗濯機据付説明書3-Ｇ6015-9Ｃ  Ｋ9（Ｈ）  2頁
【発明の開示】
【発明が解決しようとする課題】
【０００７】
図7の如く従来の底板15も、前述の図8の全自動線洗濯機と同様に方形板の四隅に水平調節ネジ12を設けてあり、
【０００８】
作業者は従来の底板15の真上から配置を水糸で確認し、水平器を見て水平を確認し、姿勢を側方へ移動し、底板の裏面に手を入れてネジの正逆回転作業をするため、確認とネジ調整が同時に出来ず、四隅を交互に調整するのに多くの時間と熟練を必要とする。  
【０００９】
なお且つ、複数の免震装置を所定の位置に水平に設置することは、なお一層の作業時間と熟練を必要とする難点があった。    
本発明は従来の上述のような問題を解決することを目的としたものである。
【課題を解決するための手段】
【００１０】
免震装置の底板1上部に自重にて転倒しない3点の位置が頂点2となり、その一辺Ｄから直角に引かれた中線Ｂ上に外心がある三角形Ａを描き、中線Ｂ上の外心に免震装置中心点と一致の目印3を描き、各頂点2に平板1の上下面を貫通する穴9を設け、その穴9に雌ネジ10を設け、同穴9にネジの回転により位置のズレを生じ難い尖端の水平調整ネジＣを組込む構成とする。
水糸は測量により免震装置の中心位置を示す目印3と三角形Ａの一辺Ｄの距離差を計算してＹ軸水糸5の位置を決め、水平に、且つ直角に交差するようにＹ軸水糸5とＸ軸水糸4を張る。
作業時に底板1に描かれた直角定規となる三角形Ａの一辺ＤとＹ軸水糸5、中線ＢとＸ軸水糸4を真上から見て位置を合わせることができ、また、頂点2に設けられた3個の水平調整ネジＣはＹ軸水糸5とＸ軸水糸4と垂直方向上にあり、同ネジの正逆回転による底板1の上下方向移動も同じ方向で無駄のない動きとなり、更にネジ個数は作業効率化のため、従来の四隅側に4個あったものを3個に減らする手段を採用する。
【発明の効果】
【００１１】
従って、本発明における免震装置の底板1の取付け方法では、基礎コンクリートの表面の水平性並びに平滑性を、あまり必要としない仕上り状態で良く
【００１２】
作業者は一人で底板1の真上から見て、測量により免震装置の中心位置を示す目印3と三角形Ａの一辺Ｄの距離差を計算して張られたＹ軸水糸5とＸ軸水糸4の直角に交差した箇所へ、一枚の底板1の上部に描かれた一辺Ｄと中線Ｂを直角定規として、一辺ＤとＹ軸水糸5を合わせ且つ中線ＢとＸ軸水糸4合わせる作業を、一箇所ごとに繰り返す作業により、複数枚の底板1を他の器具を用いることなく正確に測量により指定された位置への取付けが出来る、且つ作業員は姿勢を変えずに確認作業が出来るため、別に確認作業の人員配置を必要とせず、更に事故等により作業途中にＹ軸水糸5、Ｘ軸水糸4あるいは底板1の位置に異常が発生した際も、曲尺等直角を見る工具を用いずに簡易に異常箇所を発見できる。
【００１３】
水平調整方法としては、水平器11または水糸から底板1上部までの距離測定で水平状況を確認しながら作業姿勢を変えず続けて水平調整ネジＣを正逆回転して調整することが容易にでき、更に構造上、基礎への接地部が回転により前後左右への動きが少ない尖端を有する水平調整ネジＣは、基礎上の所定の水平に張られたＹ軸水糸5とＸ軸水糸4と垂直方向上に在り、同ネジの回転による底板1の上下方向移動も同じ方向のため、図7如く四隅調整ネジが水糸の垂直方向に無い従来の底板15に比較して短時間で水平調整が出来ることとなる。
この作業を順次行なうことにより図3の如く建物基礎上面に分散する複数の底板1を水糸で示された位置へ正確に水平に取付けできる。効果として作業者の熟練を必要としない作業標準化と免震装置基礎工事の低コスト化がある。
【００１４】
更に、作業者は常に、自重で転倒しない3点（頂点2）にネジ穴を設けた底板1の真上の姿勢で、水糸と水平器11並びに他底板1の確認し、水平調整ネジＣの調整が可能ため、作業者は無理な姿勢とらずに作業が出来、また、従来の如く姿勢を側方へ移動し、底板15の裏面に手を入れて調整する作業が不要なため、指を挟む等の危険が無く、作業の安全性向上がある。
【発明を実施するための最良の形態】
【００１５】
以下、本発明を図示例について説明する。
免震装置の構造は図4、図5で示す二層構造と図6で示す三層構造のものがあり、共に底板15は所定の位置に水平に取付が必要なことを示したもので、本発明はその取付け作業の際、作業姿勢を変えることなく容易に出来るようにした方法に係わるものである。
【００１６】
図1に示す底板1は、作業姿勢の変更を必要としないため、直角定規となるよう上部に同底板が自重で転倒しない3点が頂点2で、その一辺Ｄと直角に引かれた中線Ｂ上に外心（免震装置の中心取付けの目印3）がある三角形Ａを描き、同頂点 ２にネジ穴を設け、上部から回せる水平調整ネジＣを組み込んだ構成としているが、同直角定規は水糸に合わせられれば良い。
作業の際は、測量により本来の位置の目印3と一辺Ｄの距離差を計算して張られたＹ軸水糸5と一辺Ｄを合わせ、次にＹ軸水糸と直角に交差するＸ軸水糸4に一辺Ｄと直角をなす中線Ｂを合わせることで、容易に曲尺等直角を見る工具を用いずに取付けができ、且つ、同水糸の垂直方向に在る頂点2に組込まれた水平調整ネジＣの正逆回転にて水平器11またはＹ軸水糸5、Ｘ軸水糸4と底部平板1の垂直方向の距離測定で水平調整が容易にできるように構成されているものであれば、Ｙ軸水糸5、Ｘ軸水糸4の張り方並びに底板1の具体的構成、形状、寸法、材質等も図示例のもの等に限定されることなく、適宜自由に設定できるものである。
【００１７】
図2は底板1の裏面を示し、水平調整ネジＣの長さは底板1の転倒を避けるために、基礎の凹と凸の距離差より数センチメートル程度長いものとする。
基礎に接地する水平調整ネジＣの尖端は尖った形状もので、ネジの回転で底板1を前後左右に動くことが少なく、水平調整による底板平板の垂直方向の移動が、設定済みの位置に対する影響は少ない。ネジ頭の形状はドライバー、スパナ等の市販工具で回せる形状であれば良い。
水平調整ネジＣの形状は製作が容易で、且つ経済的であれば、具体的構造、形状、寸法、材質等は、図示例のもの等に限定されることなく、適宜自由に設定できるものである。
【００１８】
図3は実施例を概略的に示したもので、複数枚の底板1の一辺Ｄ、中線Ｂを建物の基礎全体に張られたＹ軸水糸5、Ｘ軸水糸4に合わせて取付けの方法を示しているが、水糸を張る測量者と底板1の取付け作業者間の意思疎通を欠かない限り、適宜自由に設定できるものである。
【００１９】
図7は四隅に従来の水平調整ネジ12を組込んだ従来の底板15と水糸の位置関係（両方が垂直方向に存在しない関係）を示し、図8は作業の姿勢を変える必要のある全自動洗濯機の水平器13と従来の水平調整ネジ12の位置関係を示している。
【００２０】
次に、図9に示す本発明を実施するための異なる形態につき説明する。
図示のものは基礎に接地する水平調整ネジＣの尖端に受け皿を組込んだ構造のもので、ネジの回転は受け皿を介するため基礎上で動くことを少なくした構造である。
他にネジ尖端を球面形状にしたものなど、底板の三箇所を順番に調整していく際に、既に調整済みの箇所に対して影響が少ないものであれば良い。
【産業上の利用可能性】
【００２１】
本発明は免震住宅の建設業、並びに、免震装置付き展示ケース、免震装置付き床等の施工分野で利用される。
【図面の簡単な説明】
【００２２】
【図１】本発明を実施するための最良の第１の形態の底板形状と、その表面に描かれた定規と水糸との位置関係を示す一部透視図を含んだ斜視図である。
【図２】本発明を実施するための最良の第１の形態の底板裏面に取付けた水平調整ネジを示す一部透視図を含んだ斜視図である。
【図３】本発明を実施するための最良の第１の形態の底板を、基礎全体において配置する際の各底板とＸ、Ｙ軸の水糸との関係を示す斜視図である。
【図４】二層構造の球体滑り方式の免震装置と底板の関係を示す断面図である。
【図５】二層構造の板状滑り方式の免震装置と底板の関係を示す断面図である。
【図６】三層構造の上下球面滑り方式の免震装置と底板の関係を示す断面図である。
【図７】従来の底板で、四隅に設けたネジ穴と水糸との関係を示す一部透視図を含んだ斜視図である。
【図８】全自動洗濯機の水平器と水平調整ネジを示す一部透視図を含んだ斜視図である。
【図９】本発明を実施するための第2の形態の皿付き水平調整ネジ尖端を示す斜視図である。
【符号の説明】
【００２３】
Ａ  三角形
Ｂ  中線
Ｃ  水平調整ネジ
Ｄ  三角形の一辺
1  底板
2  三角形の頂点                  
3  目印                                    
4  Ｘ軸水糸  
5  Ｙ軸水糸  
6  球体の滑り部  
7  板状の滑り部
8  上下球面の滑り部
9  頂点の穴
10 穴の雌ネジ
11 水平器
12 従来の水平調整ネジ                      
13 全自動洗濯機の水平器
14 基礎の外周線
15 従来の底板
【図１】
2005264597.tif 000003
【図２】
2005264597.tif 000004
【図３】
2005264597.tif 000005
【図４】
2005264597.tif 000006
【図５】
2005264597.tif 000007
【図６】
2005264597.tif 000008
【図７】
2005264597.tif 000009
【図８】
2005264597.tif 000010
【図９】
2005264597.tif 000011